(57)【要約】【課題】  回路基板を筐体内部に配した携帯電子機器において、外力による回路基板の変形に基づいて各種部品の剥離を抑制できるようにする。【解決手段】  矩形板状の筐体２と、該筐体２内部に設けられ、その厚さ方向に重ねて配されたバッテリー７及び各種部品２１を実装した回路基板５とを備え、前記回路基板５のうち、少なくとも前記バッテリー７の端部７ａ，７ｂと対向する部位に前記各種部品２１を実装しない不実装領域Ｄ１，Ｄ４を形成した携帯電子機器を提供する。【選択図】      図５
2006067437.tif 000002
【特許請求の範囲】
【請求項１】
矩形板状の筐体と、該筐体内部に設けられ、その厚さ方向に重ねて配されたバッテリー及び各種部品を実装した回路基板とを備え、
前記回路基板のうち、少なくとも前記バッテリーの端部と対向する部位に前記各種部品を実装しない不実装領域を形成したことを特徴とする携帯電子機器。
【請求項２】
矩形板状の筐体と、該筐体内部に設けられ、その厚さ方向に重ねて配されたバッテリー及び各種部品を実装した回路基板とを備え、
前記筐体の一方の主面に外方から静圧荷重を加えた際に、前記筐体の変形曲線に現れる変曲点の部位と対向する前記回路基板の部位に、前記各種部品を実装しない不実装領域を形成したことを特徴とする携帯電子機器。
【発明の詳細な説明】
【技術分野】
【０００１】
この発明は、携帯電話機、簡易型携帯電話機（ＰＨＳ（登録商標））、ＰＤＡ（Personal Digital Assistants）、デジタルカメラ等の携行可能な携帯電子機器に関する。
【背景技術】
【０００２】
従来より、携帯電子機器は、各種情報を表示する表示装置と、各種情報を入力するための入力手段と、電子部品や配線の接続端子等の各種部品を実装した回路基板と、電力供給用のバッテリーとを筐体内部に設けた構成を有している（例えば、特許文献１参照。）。表示装置や入力手段は筐体の一方の主面側に配され、バッテリーは筐体の他方の主面側に配されている。また、回路基板は、これら表示装置や入力手段とバッテリーとの間に配されている。
この携帯電子機器には、例えば、床におかれた携帯電子機器を誤って足で踏む等して、筐体に荷重が加えられても破損し難い機械的特性が要求されている。
【特許文献１】特開１０−２７６２４９号公報
【発明の開示】
【発明が解決しようとする課題】
【０００３】
しかしながら、上記従来の携帯電子機器では、筐体の厚さ方向に荷重が加えられると回路基板に実装された電子部品や接続端子が回路基板から剥離したり、配線が断線するなどして、回路基板と各種部品との接触不良が発生するという問題があった。
この発明は、上述した事情に鑑みてなされたものであって、回路基板とこれに実装される各種部品との接触不良の発生を低減できる携帯電子機器を提供することを目的としている。
【課題を解決するための手段】
【０００４】
上記課題を解決するために、この発明は以下の手段を提案している。
本発明に係る携帯電子機器は、矩形板状の筐体と、該筐体内部に設けられ、その厚さ方向に重ねて配されたバッテリー及び各種部品を実装した回路基板とを備え、前記回路基板のうち、少なくとも前記バッテリーの端部と対向する部位に前記各種部品を実装しない不実装領域を形成したことを特徴とする。
ここで、回路基板に実装される各種部品としては、例えば、携帯電子機器の制御を行うための電子部品や、表示装置や操作キー等の各種電気部品と回路基板とを電気接続するための接続端子等がある。
【０００５】
また、本発明に係る携帯電子機器は、矩形板状の筐体と、該筐体内部に設けられ、その厚さ方向に重ねて配されたバッテリー及び各種部品を実装した回路基板とを備え、前記筐体の一方の主面に外方から静圧荷重を加えた際に、前記筐体の変形曲線に現れる変曲点の部位と対向する前記回路基板の部位に、前記各種部品を実装しない不実装領域を形成したことを特徴とする。
なお、上記静圧荷重を加えた際に筐体の変形曲線に現れる変曲点とは、静圧荷重による筐体の屈曲部分を示している。
【発明の効果】
【０００６】
携帯電子機器を構成する筐体の厚さ方向に静圧荷重が加えられた場合には、バッテリーの端部や筐体の屈曲部分と対向する回路基板の部位に応力が集中して、この回路基板の部位が屈曲するが、この発明によれば、静圧荷重に基づく回路基板の屈曲部分を電子部品や接続端子等の各種部品を実装しない不実装領域としたことから、この屈曲に基づいて各種部品が回路基板から剥離したり断線することを防止し、各種部品と回路基板との電気的な接触不良を抑制することができる。
【発明を実施するための最良の形態】
【０００７】
図１から図６は本発明に係る一実施形態を示しており、ここで説明する実施の形態は、この発明を携帯電話機に適用した場合のものである。図１〜５に示すように、この実施の形態に係る携帯電話機（携帯電子機器）１は、平面視略矩形の板状に形成された筐体２の内部に、複数の数字キー等からなるキー操作部３と、回路基板５と、バッテリー７と、通話用のマイクロフォン部１８及びスピーカ部１９とを配して構成されている。
【０００８】
この筐体２は、一方の主面２ａ側を構成するフロントケース９、及び、他方の主面２ｂ側を構成するリアケース１１を備えており、これらフロントケース９及びリアケース１１は、互いに筐体２の厚さ方向に結合可能となっている。
マイクロフォン部１８及びスピーカ部１９は、筐体２の長手方向（Ｙ方向）の両端部２ｃ，２ｄにそれぞれ配されており、スピーカ部１９はフロントケース９の主面２ａに形成された放音口９ａを通じて音声等を放音するようになっている。また、マイクロフォン部１８はフロントケース９の主面２ａに形成された集音口９ｂを通じて音声等を集音するようになっている。なお、スピーカ部１９を配した筐体２の長手方向の一端部２ｃには、基地局との無線通信を行うためのアンテナ１３が設けられている。
【０００９】
キー操作部３は、複数のキー群が配されたキーシート１６と、回路基板５の一方の主面５ａに前記キー群と同じように配された複数のキースイッチ４０とを有し、キーシート１６及び回路基板５は、フロントケース９とリアケース１１との間に、フロントケース９の内面９ｃから順番に重ねて配され、この状態において各キー１７と、回路基板５上のキースイッチ４０とがそれぞれ対向配置されるようになっている。
キーシート１６は、フロントケース９の内面９ｃに配される平面視略矩形状のラバーシート１５と、ラバーシート１５からその厚さ方向に突出して一体的に形成された複数の操作キー１７とを備えている。複数の操作キー１７は、ラバーシート１５をフロントケース９の内面９ｃに配した状態において、フロントケース９の内面９ｃから主面２ａに貫通して形成された挿通孔９ｄから外方に突出するようになっている。この状態において、各操作キー１７は、筐体２の主面２ａ側から押圧可能となっており、それぞれ通話キー、終話キー等の各種機能を有している。
【００１０】
図３，４に示すように、フロントケース９の内面９ｃに対向する回路基板５の主面５ａには、マイクロフォン部１８、スピーカ部１９及びキースイッチ４０等が形成されている。また、主面５ａの反対側に位置する回路基板５の主面５ｂには、携帯電話機１の各種制御を行うための複数の電子部品（不図示）やバッテリー７と配線を介して電気接続を行う接続端子（不図示）等の各種部品が多数実装されている。なお、バッテリー７に対向する電子部品のうち、無線通信を司る部品には、その周囲を覆うシールド板金２１が設けられており、外部からのノイズの侵入を防止するようになっている。
また、この回路基板５は、その周縁部をネジ等によりフロントケース９及びリアケース１１に固定されている。
【００１１】
バッテリー７は、平面視略矩形の板状に形成され、筐体２の一部を構成するリアケース１１の主面２ｂから窪んで形成された平面視略矩形の凹部１１ｂに収容されるようになっている。この凹部１１ｂの開口部は、リアケース１１の一部を構成する蓋体３１により閉塞されるようになっている。
すなわち、この蓋体３１は、略矩形状の薄板状に形成されており、凹部１１ｂに収容されたバッテリー７を覆い隠す役割を果たしている。そして、外方に露出する蓋体３１の表面３１ａは、凹部１１ｂの開口部を閉塞した状態で筐体２の主面２ｂを形成する。
【００１２】
このバッテリー７は、凹部１１ｂに収容された状態において、回路基板５と電気的に接続されるように構成されている。なお、バッテリー７の幅方向の寸法は、回路基板５の幅寸法と略同等となっており、バッテリー７の長手方向の寸法は、回路基板５の長手方向の寸法よりも短い。また、バッテリー７は、その長手方向の端部が、回路基板５の長手方向の端部よりもそれぞれ内側に位置するように配されている。
【００１３】
リアケース１１を介してバッテリー７に対向する回路基板５の主面５ｂには、少なくともバッテリー７の端部と対向する部位に、電子部品や接続端子等の各種部品を実装しない不実装領域を設ける必要があり、本実施形態では、図５に示すように、前述した電子部品や接続端子等の各種部品を配さないライン状の不実装領域Ｄ１〜Ｄ４を形成してある。この不実装領域Ｄ１〜Ｄ４は、回路基板５の幅方向（Ｘ方向）に延びるライン状に形成されており、以下に述べるシミュレーションによる実験結果に基づいて設定することが好ましい。
すなわち、図４に示すように、長手方向の中間地点に位置する筐体２の主面２ａにＺ方向の静圧荷重Ｆを加えた状態において、筐体２の主面２ｂの厚さ方向への変位量を測定する実験を行った。この結果を図６のグラフに示す。
【００１４】
このグラフは、静圧荷重Ｆを筐体２の主面２ａに加えたときに現れる筐体２の主面２ｂの変形曲線を示している。ここで、グラフの横軸は筐体２の主面２ｂの長手方向（Ｙ方向）を示しており、横軸の零点は、長手方向に関する筐体２の長さ寸法の中間地点、すなわち、静圧荷重Ｆを加えた位置を示している。また、グラフの縦軸は厚さ方向（Ｚ方向）に関する筐体２の主面２ｂの変位量を示しており、この縦軸の零点は、筐体２の主面２ａに静圧荷重Ｆが加えられていない状態を示している。
【００１５】
このグラフによれば、長手方向に関して、バッテリー７の長手方向の端部（周縁部）７ａ，７ｂと厚さ方向に重なる筐体２の主面２ｂの部位、及び、バッテリー７の両端部７ａ，７ｂの内側に位置する筐体２の主面２ｂの２つの屈曲点Ｂ１，Ｂ２において、筐体２の主面２ｂが屈曲していることが分かる。なお、これら屈曲部分は、変形曲線の変曲点に相当している。そして、回路基板５は、筐体２に固定されているため、静圧荷重Ｆによって筐体２の主面２ｂの変形曲線と同様の部位において屈曲することになる。
この屈曲は、静圧荷重Ｆを加えた際に、例えば、バッテリー７の端部７ａ，７ｂと厚さ方向に重なる筐体２の主面２ａや回路基板５の部位に応力が集中するために発生する。
【００１６】
前述した不実装領域Ｄ１〜Ｄ４は、筐体２の主面２ａの中央部にＺ方向の静圧荷重Ｆを加えた際に、これら屈曲部分に相当する領域を示している。
すなわち、図５に示すように、長手方向の両端に形成された２つの不実装領域Ｄ１，Ｄ４は、バッテリー７の各端部７ａ，７ｂと対向するようになっている。また、前述した２つの不実装領域Ｄ１，Ｄ４の間に形成された２つの不実装領域Ｄ２，Ｄ３は、バッテリー７の両端部７ａ，７ｂよりも内側で屈曲する筐体２の主面２ｂの屈曲点Ｂ１，Ｂ２と厚さ方向に重なるように配されている。
なお、携帯電話機１のキー操作部３を構成する操作キー１７の一部は、回路基板５の不実装領域Ｄ１〜Ｄ３と厚さ方向に重なる位置に配されている。
【００１７】
以上のように携帯電話機１を構成することにより、筐体２に静圧荷重Ｆを加えても、電子部品や接続端子等の各種部品を実装しない回路基板５の不実装領域Ｄ１〜Ｄ４が屈曲するため、この屈曲に基づいて各種部品が回路基板５から剥離したり断線することを防止し、各種部品と回路基板５との電気的な接触不良を抑制することができる。
【００１８】
また、予め筐体２に静圧荷重Ｆを加える実験を行い、この実験結果に基づいて回路基板５の屈曲位置に各種部品を配さない不実装領域に設定することで、回路基板５と各種部品との電気的な接続不良を容易に回避することができる。
さらに、従来のように、静圧荷重Ｆに基づく筐体２の屈曲を抑制するために、筐体２の内部に別途補強部材を設けたり、筐体２を剛性が高く、高価なマグネシウム合金等の金属材料から形成したりする必要がないので、製造コストを増やすことなく、回路基板５と各種部品との電気的な接触不良を抑制できる。
【００１９】
なお、上記実施形態において、回路基板５の不実装領域Ｄ１，Ｄ４は、バッテリー７の長手方向の端部７ａ，７ｂに対向するように配されるとしたが、例えば、バッテリー７の幅方向の端部が、回路基板５の主面５ｂの周縁部よりも内側に位置する場合において、バッテリー７の幅方向の端部に対向する回路基板５の部位に荷重に対する変形が見られるときには不実装領域を形成することが好ましい。
すなわち、少なくとも回路基板５の主面５ｂの周縁部よりも内側に位置するバッテリー７の主面の周縁部に対向する回路基板５の部位に、不実装領域を形成することが好ましい。ここで、バッテリー７の主面とは、筐体２の厚さ方向に面するバッテリー７の平坦面を示している。
【００２０】
また、不実装領域Ｄ１〜Ｄ４は、回路基板５の幅方向（Ｘ方向）に延びるライン状に形成されるとしたが、これに限ることはなく、少なくともバッテリー７の端部と対向する回路基板５の部位に形成することが好ましく、さらには、筐体２の厚さ方向に静圧荷重Ｆを加えた際に、屈曲する回路基板５の部位に形成することが望ましい。
さらに、本実施形態においては、１つの筐体２からなる携帯電話機１について述べたが、少なくとも筐体の内部に電子部品を実装した回路基板と、回路基板の厚さ方向に重ねて配されるバッテリーとを設けた携帯電子機器であればよい。したがって、本実施形態の構成を、例えば、ＰＤＡやデジタルカメラに適用するとしても構わない。
【００２１】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２２】
【図１】この発明の一実施形態に係る携帯電話機を構成する筐体の表面側を示す斜視図である。
【図２】図１の携帯電話機において、筐体の裏面側を示す斜視図である。
【図３】図１の携帯電話機において、筐体内部に配されるキー操作部、回路基板及びバッテリーを順番に配した状態を示す分解斜視図である。
【図４】図１の携帯電話機において、筐体の幅方向から見た断面図である。
【図５】図１の携帯電話機において、回路基板の裏面を示す平面図である。
【図６】図１の携帯電話機において、筐体の表面に加えた静圧荷重に基づく筐体表面の厚さ方向の変位量を示すグラフである。
【符号の説明】
【００２３】
１  携帯電話機（携帯電子機器）
２  筐体
２ａ  主面
５  回路基板
７  バッテリー
７ａ，７ｂ  端部
２１  電子部品（各種部品）
Ｄ１〜Ｄ４  不実装領域
Ｆ  静圧荷重
【図１】
2006067437.tif 000003
【図２】
2006067437.tif 000004
【図３】
2006067437.tif 000005
【図４】
2006067437.tif 000006
【図５】
2006067437.tif 000007
【図６】
2006067437.tif 000008